(57)【要約】【課題】水平あるいは垂直方向に複数の液晶パネルを配設して一画面を形成する液晶表示装置の画像処理回路において、入力画像データを水平あるいは垂直方向に分割した各分割画像データを、その分割境界部付近に表示ずれを起こさないように画像処理する。【解決手段】画像処理回路１０は、入力された画像データをラインメモリを用いて水平あるいは垂直方向（例えば左右）に分割すると共に、一方の分割画像データの分割境界部に、他方の分割画像データの分割境界部から所定画素数分のデータを付加する画像分割部１１、その付加データを含む左右の各分割画像データを演算処理した後に、その付加データを除去する左用画像処理部１３及び右用画像処理部１４を備える。画像処理回路１０は、前記付加データを除去した左右の各分割画像データを、ＴＣ１６で表示タイミングを合わせて、液晶パネルモジュール２０の左パネル２０Ｌ，右パネル２０Ｒに表示出力する。【選択図】図１
2005339144.tif 000002
【特許請求の範囲】
【請求項１】
水平あるいは垂直方向に複数の液晶パネルを配設して一画面を形成する液晶表示装置の画像処理回路において、入力された画像データを水平あるいは垂直方向に分割すると共に、一方の分割画像データの分割境界部に、他方の分割画像データの分割境界部から所定画素数分のデータを付加する画像分割手段と、該付加データを含む各分割画像データを演算処理した後に、該各分割画像データから付加データを除去する画像処理手段とを備え、該付加データを除去した前記各分割画像データを、表示タイミングを合わせて、前記画面の液晶パネルそれぞれに表示出力できるようにしたことを特徴とする画像処理回路。
【請求項２】
請求項１に記載の画像処理回路において、前記画面は、前記液晶パネルを左右に２つ配設してなり、前記画像分割手段は、入力された画像データをラインメモリを用いて左右に分割し、左側の分割画像データの分割境界部に、右側の分割画像データの分割境界部から所定画素数分のデータを付加し、右側の分割画像データの分割境界部に、左側の分割画像データの分割境界部から所定画素数分のデータを付加することを特徴とする画像処理回路。
【請求項３】
請求項１に記載の画像処理回路において、前記画面は、前記液晶パネルを上下に２つ配設してなり、前記画像分割手段は、入力された画像データをフレームメモリを用いて上下に分割し、上側の分割画像データの分割境界部に、下側の分割画像データの分割境界部から所定画素数分のデータを付加し、下側の分割画像データの分割境界部に、上側の分割画像データの分割境界部から所定画素数分のデータを付加することを特徴とする画像処理回路。
【請求項４】
請求項２又は３に記載の画像処理回路において、前記画像分割手段は、前記付加する画素数を、前記画像処理手段で行う画像処理方法に応じて決定することを特徴とする画像処理回路。
【請求項５】
請求項４に記載の画像処理回路において、前記画像処理手段は、前記画像処理方法として、クロストーク除去処理あるいはフィルタ処理を行うことを特徴とする画像処理回路。
【請求項６】
請求項１乃至５のいずれか１に記載の画像処理回路において、前記画像分割手段は、前記付加データを含む各分割画像データを、該付加データを識別するための付加情報と共に、前記画像処理手段に出力することを特徴とする画像処理回路。
【請求項７】
請求項１乃至６のいずれか１に記載の画像処理回路を備えたことを特徴とする液晶表示装置。
【発明の詳細な説明】
【技術分野】
【０００１】
本発明は、画像処理回路及び液晶表示装置、より詳細には、Ｆｕｌｌ−ＨＤ等の高精細液晶テレビなどに用いられる、左右２つの液晶パネルで一画面を形成する液晶パネルモジュールに高品質な画像表示を行うための画像処理回路及び該回路を備えた液晶表示装置に関する。
【背景技術】
【０００２】
Ｆｕｌｌ−ＨＤ等の高精細液晶テレビなどに用いられる液晶パネルモジュールでは、ソースドライバの動作周波数の上限等の理由から、入力データ信号がタイミングコントローラで左右分割され、時間軸が２倍に伸長されている。すなわち、画面の左右では独立した表示を行っている。
【０００３】
また、市場の高画質化要求に従って、システム側だけでなく、表示デバイス側（すなわち液晶パネルモジュール側）においても画質向上のため画素単位、サブピクセル（ＲＧＢ）単位の画像処理技術が導入されつつある。具体的には、近傍画素からの電気的クロストーク除去や、各種フィルタ処理などである。これらの画像処理では画像処理対象の周辺画素情報を演算に用いるため、画面外に画素情報が存在しない画面端の処理がイレギュラーとなる。そのため画面端では画面外のダミーデータを用いた例外処理を適用することが一般的である。ダミーデータの作成方法には、画面外ダミーを画面端画素と同じデータとする、黒などの固定のデータとする、画面端で線対称となる画面内の鏡像データとする等の方法がある。
【０００４】
上記例外処理を適用した場合、左右分割を行わない液晶パネルモジュールでは画面端がパネルモジュールの左右端にくるため実用上何ら問題はない。しかしながら、左右分割を行う液晶パネルモジュールでは画面中央部にも左液晶パネルと右液晶パネルの画面端が存在することになるので、左右の液晶パネルに表示させる各画像データに対して単純に画像処理を適用すると、画面中央部に存在する画面外の画素がダミーと実際で異なるため左右各画像データの分割境界部付近で表示画像の処理結果が異なり、その結果として、画面中央部付近で表示ずれ（線の不連続、色の不一致など）が発生してしまう。従って、上記例外処理を適用しても本来の効果は得ることができない。尚、画像データを左右分割する前に画像処理を行えば、このような問題は起こらないが、処理速度を２倍にする必要があり、回路構成が複雑になる。
【０００５】
従来、多画面表示の際の画像処理に関し、例えば、特許文献１は、ＭＬＳ法（複数ライン同時選択法）でマルチプレクス駆動を行う単純マトリクス（ＳＴＮ）方式の液晶表示装置において、仮想行電極付近に生じる表示むらを軽減できるようにしたものであるが、この表示むらは、特に、上下に画面を分割し、２画面を独立して駆動した場合に問題となることが多い。２画面にした場合、画面中央に仮想電極が配置されると、行方向に沿った黒筋もしくは白筋として表示むらが発生するため、仮想行電極を画面上の表示むらの目立たない部分（各画面の上下部分）に配置している。
【０００６】
また、特許文献２は、隣り合う２画面表示などの多画面表示で画像エンハンス処理を行う際に、画面のつなぎ目などで輝度レベルが大きく変化するため、この部分の不必要なエンハンスを抑えて自然な画像を表示できるようにしたものである。
【特許文献１】特開平８−３０２３８号公報
【特許文献２】特開２００２−３５４２９１号公報
【発明の開示】
【発明が解決しようとする課題】
【０００７】
上述したように、左右２つの液晶パネルで一画面を形成する液晶パネルモジュールの画面中央部付近で発生する表示ずれは、左右の液晶パネルに表示させる各画像データに対して単純に画像処理を適用した結果、左右各画像データの分割境界部付近（すなわち、画面中央部付近）で表示画像の処理結果が異なることに起因している。
【０００８】
これに対して、特許文献１に記載の発明は、ＭＬＳ駆動を用いたＳＴＮ方式固有の問題である、仮想行電極付近に生じる表示むらの軽減を目的とし、一方、特許文献２に記載の発明は、別々に取得した２つの映像信号の精細度に応じてフィルタ処理して一つの液晶パネルの画面内に隣り合わせて表示させるもので、左右２つの液晶パネルで一画面を形成する液晶パネルモジュールを対象としたものではない。このように、上記特許文献１及び特許文献２はいずれも、上記課題、すなわち、左右の液晶パネルそれぞれに表示する各画像データに対して画像処理を行ったときに、その分割境界部付近における表示ずれの発生を防止するものではない。
【０００９】
本発明は、上述のごとき実情に鑑みてなされたものであり、水平あるいは垂直方向に複数の液晶パネルを配設して一画面を形成する液晶表示装置の画像処理回路において、入力画像データを水平あるいは垂直方向に分割した各分割画像データを、その分割境界部付近に表示ずれを起こさないように画像処理するための画像処理回路及び該回路を備えた液晶表示装置を提供すること、を目的としてなされたものである。
【課題を解決するための手段】
【００１０】
上記課題を解決するために、第１の技術手段は、水平あるいは垂直方向に複数の液晶パネルを配設して一画面を形成する液晶表示装置の画像処理回路において、入力された画像データを水平あるいは垂直方向に分割すると共に、一方の分割画像データの分割境界部に、他方の分割画像データの分割境界部から所定画素数分のデータを付加する画像分割手段と、該付加データを含む各分割画像データを演算処理した後に、該各分割画像データから付加データを除去する画像処理手段とを備え、該付加データを除去した前記各分割画像データを、表示タイミングを合わせて、前記画面の液晶パネルそれぞれに表示出力できるようにしたことを特徴としたものである。
【００１１】
第２の技術手段は、第１の技術手段において、前記画面は、前記液晶パネルを左右に２つ配設してなり、前記画像分割手段は、入力された画像データをラインメモリを用いて左右に分割し、左側の分割画像データの分割境界部に、右側の分割画像データの分割境界部から所定画素数分のデータを付加し、右側の分割画像データの分割境界部に、左側の分割画像データの分割境界部から所定画素数分のデータを付加することを特徴としたものである。
【００１２】
第３の技術手段は、第１の技術手段において、前記画面は、前記液晶パネルを上下に２つ配設してなり、前記画像分割手段は、入力された画像データをフレームメモリを用いて上下に分割し、上側の分割画像データの分割境界部に、下側の分割画像データの分割境界部から所定画素数分のデータを付加し、下側の分割画像データの分割境界部に、上側の分割画像データの分割境界部から所定画素数分のデータを付加することを特徴としたものである。
【００１３】
第４の技術手段は、第２又は第３の技術手段において、前記画像分割手段は、前記付加する画素数を、前記画像処理手段で行う画像処理方法に応じて決定することを特徴としたものである。
【００１４】
第５の技術手段は、第４の技術手段において、前記画像処理手段は、前記画像処理方法として、クロストーク除去処理あるいはフィルタ処理を行うことを特徴としたものである。
【００１５】
第６の技術手段は、第１乃至第５のいずれか１の技術手段において、前記画像分割手段は、前記付加データを含む各分割画像データを、該付加データを識別するための付加情報と共に、前記画像処理手段に出力することを特徴としたものである。
【００１６】
第７の技術手段は、第１乃至第６のいずれか１の技術手段に記載の画像処理回路を備えたことを特徴としたものである。
【発明の効果】
【００１７】
水平あるいは垂直方向に複数の液晶パネルを配設して一画面を形成する液晶表示装置の画像処理回路において、入力画像データを水平あるいは垂直方向に分割した各分割画像データを、その分割境界部付近に表示ずれを起こさないように画像処理することができるため、高品質な画像表示を行うことができる。
【発明を実施するための最良の形態】
【００１８】
本発明の画像処理回路は、水平あるいは垂直方向に複数の液晶パネルを配設して一画面を形成する液晶表示装置に適用され、入力画像データを水平あるいは垂直方向に分割すると共に、一方の分割画像データの分割境界部に、他方の分割画像データの分割境界部から所定画素数分のデータを付加し、その付加データ（以下、オーバーラップデータという）を含む各分割画像データを演算処理した後に、各分割画像データからオーバーラップデータを除去する。さらに、上記オーバーラップデータを除去した各分割画像データを、タイミングコントローラで表示タイミングを合わせて、上記画面の液晶パネルそれぞれに表示出力できるようにして、目的の品質の画像表示を行う。
【００１９】
尚、以下の実施形態において、本発明の画像処理回路を、水平方向（すなわち左右）に２つの液晶パネルを配設して一画面を形成する液晶表示装置に適用した場合を代表例として説明するものとし、同様の機能を有する部分には同じ符号を付け、その繰り返しの説明は省略する。
【００２０】
図１は、本発明の一実施形態である画像処理回路の構成例を示すブロック図で、図中、１０は画像処理回路で、該画像処理回路１０は、左右分割部１１，ラインメモリ１２，左用画像処理部１３，右用画像処理部１４を備え、タイミングコントローラ（ＴＣ）１６を介して液晶パネルモジュール２０と接続されている。この液晶パネルモジュール２０は、左パネル２０Ｌ（ａ画素）及び右パネル２０Ｒ（ａ画素）からなり、左右のパネルを合わせて１つの入力画像を表示する。この左右の各パネルは、アドレス素子として薄膜トランジスタ（ＴＦＴ（Thin Film Transistor））を備えたアクティブマトリックス型の液晶パネルで構成されている。
【００２１】
画像処理回路１０で生成された左右の各データ信号は、タイミングコントローラ１６に入力され、タイミングコントローラ１６は、データ信号と同時に入力される水平及び垂直同期信号に応じて、左データ信号をソースドライバ１７に、右データ信号をソースドライバ１８に出力すると共に、ＴＦＴを走査するための走査信号をゲートドライバ１９に出力する。
【００２２】
左パネル２０Ｌは、ソースドライバ１７から出力される左データ信号を伝送するための図示しないソースラインと、ゲートドライバ１９から出力される走査信号を伝送するための図示しないゲートラインとが配設され、各絵素電極に接続されている。同様に、右パネル２０Ｒは、ソースドライバ１８から出力される右データ信号を伝送するための図示しないソースラインと、ゲートドライバ１９から出力される走査信号を伝送するための図示しないゲートラインとが配設され、各絵素電極に接続されている。ここで、上記絵素は、サブピクセルと言われ、通常ＲＧＢの各色のいずれかを表示するために用いられる。そして、ＲＧＢの３つの絵素のまとまりを画素という。
【００２３】
以下、画像処理回路１０が備える左右分割部１１，左用画像処理部１３，右用画像処理部１４について詳細に説明する。
まず、左右分割部１１は、入力された画像データをラインメモリ１２（左用ラインメモリ１２ａ及び右用ラインメモリ１２ｂ）を用いて左右に分割する。このとき、時間軸の伸長が行われ、１水平表示期間内にかかる時間ｔ１は、入力画像データと、左右分割後の分割画像データ（以下、左データ、右データという）とで同じになる。さらに、左右分割部１１は、液晶表示装置のレジスタ制御部１５からオーバーラップに関する情報を取得し、このオーバーラップ情報に基づいて左右各データの分割境界部にオーバーラップ分のデータ（オーバーラップデータ）を付加する。
【００２４】
この際、左右分割部１１は、オーバーラップデータを付加した左右各データのオーバーラップ部分を識別するための信号を生成する。この識別信号は、例えば、本来必要なデータ信号の幅を示す信号に加えて、オーバーラップを含んだ幅が判別できるような信号で、図中ＤＥ（ＤＥ−Ｌ，ＤＥ−Ｒ，ＤＥ−ＤＩＳＰ）で示す。さらに、左右分割部１１は、左画像処理用のオーバーラップデータを含む左データ信号，ＤＥ―Ｌ信号，及び同期信号を左用画像処理部１３に、また、右画像処理用のオーバーラップデータを含む右データ信号，ＤＥ―Ｒ信号，及び同期信号を右用画像処理部１４にそれぞれ出力する。
【００２５】
図２は、オーバーラップデータを含む左右の各分割画像データの一例を示す図で、図中、２１は入力画像データ信号，２２は左データ信号２２ａ及びオーバーラップデータ信号２２ｂからなる左画像処理用データ信号，２３は右データ信号２３ａ及びオーバーラップデータ信号２３ｂからなる右画像処理用データ信号，ｔ１は１水平表示期間内を示す。前述したように、左右分割部１１で入力画像データ２１を左右に分割したとき、時間軸の伸長が行われ、水平表示期間ｔ１は、入力画像データ信号２１と、左データ信号２２ａ、右データ信号２３ａとで同じになる。
【００２６】
オーバーラップデータ信号２２ｂ及び２３ｂ（図中ハッチングで示す部分）は、左画像処理用データ信号２２では画面表示される左データ信号２２ａの後に、右画像処理用データ信号２３では画面表示される右データ信号２３ａの前にそれぞれ付加される。この付加されるオーバーラップデータ信号２２ｂは、右データ信号２３ａの先頭（すなわち分割境界）から所定画素数分のデータが対応し、オーバーラップデータ信号２３ｂは、左データ信号２２ａの最後（すなわち分割境界）から所定画素数分のデータが対応する。
【００２７】
上記オーバーラップさせる画素数は、後段の画像処理部１３，１４で行う画像処理に応じて決定される。例えば、３１タップ必要なＦＩＲ（Finite Impulse Response）フィルタ処理を行う場合、１５画素分をオーバーラップさせればよい。このフィルタ処理では演算に用いるフィルタ係数を変更させることができるため、変更に応じて、オーバーラップさせる画素数を変更させればよい。
【００２８】
次に、左用画像処理部１３は、左右分割部１１から入力された左画像処理用データ信号２２（左データ信号２２ａ及びオーバーラップデータ信号２２ｂからなる）を演算処理した後に、左画像処理用データ信号２２からオーバーラップデータ信号２２ｂを除去する。ここで、左画像処理部１３は、左右分割部１１からの識別信号（ＤＥ−Ｌ）に応じて、オーバーラップデータ信号２２ｂを判別し、左画像処理用データ信号２２から該当部分を除去する。
【００２９】
同様に、右用画像処理部１４は、左右分割部１１から入力された右画像処理用データ信号２３（右データ信号２３ａ及びオーバーラップデータ信号２３ｂからなる）を演算処理した後に、右画像処理用データ信号２３からオーバーラップデータ信号２３ｂを除去する。ここで、右画像処理部１４は、左右分割部１１からの識別信号（ＤＥ−Ｒ）に応じて、オーバーラップデータ信号２３ｂを判別し、右画像処理用データ信号２３から該当部分を除去する。
【００３０】
ここで、左用画像処理部１３及び右用画像処理部１４で行う画像処理は、画素単位あるいは絵素単位で実行される画像処理であって、具体的には、例えば、近傍絵素からの電気的クロストークの除去や、ＦＩＲフィルタなどを用いた各種フィルタ処理などを好適に適用することができる。左用画像処理部１３及び右用画像処理部１４は、上記画像処理を、オーバーラップデータを含む分割画像データに対して行った後、そのオーバーラップデータを除去する処理を行う。
【００３１】
次に、オーバーラップデータ信号２２ｂが除去された左データ信号２２ａと、オーバーラップデータ信号２３ｂが除去された右データ信号２３ａは、タイミングコントローラ１６に入力される。タイミングコントローラ１６は、同時に入力される水平及び垂直同期信号に応じて、左データ信号２２ａをソースドライバ１７に、右データ信号２３ａをソースドライバ１８に出力すると共に、ＴＦＴを走査するための走査信号をゲートドライバ１９に出力する。
【００３２】
図３は、図１に示した画像処理回路１０における各信号のタイミングチャートの一例を示す図である。図３（Ａ）は入力水平同期信号を示す図で、ｔ２は１水平同期期間を示す。図３（Ｂ）は入力データイネーブル（ＤＥ−ＩＮ）信号を示す図で、このＤＥ−ＩＮ信号の有効期間２τ１（τ１×２）は１水平同期期間ｔ２内とする。図３（Ｃ）は入力画像データ信号を示し、図３（Ｄ）は左用ラインメモリ１２ａの信号を示し、図３（Ｅ）は右用ラインメモリ１２ｂの信号を示す図である。図３（Ｆ）は図１に示したＤＥ−Ｌ，ＤＥ−Ｒ，ＤＥ−ＤＩＳＰの各信号の状態を示す図である。尚、図３（Ｃ）乃至図３（Ｅ）において、横軸に時刻、縦軸にアドレス（画素数）を示す。
【００３３】
図３（Ｃ）に示す入力画像データ信号は、期間τ１を分割境界とし、ラインメモリ１２で左右ａ画素づつに分割される。図３（Ｄ）及び図３（Ｅ）において、左用ラインメモリ１２ａ及び右用ラインメモリ１２ｂの各信号は、左右分割部１１からＷ（書き込み）／Ｒ（読み出し）制御され、図中、２４，２６（ハッチング部）は書き込み時の信号、２５，２７は読み出し時の出力信号を示す。ラインメモリ１２への書き込み時には、表示データ（期間τ１，ａ画素分）にオーバーラップ分のデータ（期間τ２，ｂ画素分）が付加され、ラインメモリ１２からの読み出し時には、時間軸で伸長されて、表示データ（期間２τ１，ａ画素分）にオーバーラップ分のデータ（期間２τ２，ｂ画素分）が付加されて出力される。
【００３４】
図３（Ｆ）において、ＤＥ−Ｌ信号は、図３（Ｄ）に示す左用ラインメモリ１２ａにおける読み出し時の出力信号２５、すなわち、表示データ（期間２τ１，ａ画素分）及びオーバーラップ分のデータ（期間２τ２，ｂ画素分）に対応し、ＤＥ−Ｒ信号は、図３（Ｅ）に示す右用ラインメモリ１２ｂにおける読み出し時の出力信号２７、すなわち、表示データ（期間２τ１，ａ画素分）及びオーバーラップ分のデータ（期間２τ２，ｂ画素分）に対応し、ＤＥ−ＤＩＳＰ信号は、図３（Ｄ）及び（Ｅ）に示す読み出し時の出力信号２５，２７に含まれる表示データ（期間２τ１，ａ画素分）に対応している。
【００３５】
図４は、図３に示したタイミングチャートに対応したデータ信号の状態の一例を示す図である。図４（Ａ）は図３（Ｃ）に示したタイミングチャートに対応した入力画像データ信号の状態を示し、図４（Ｂ）は図３（Ｄ）に示したタイミングチャートに対応した左用ラインメモリ１２ａの出力信号２５の状態を示し、図４（Ｃ）は図３（Ｅ）に示したタイミングチャートに対応した右用ラインメモリ１２ｂの出力信号２７の状態を示す図である。
【００３６】
左右分割部１１は、図４（Ａ）に示す入力画像データ信号を、ラインメモリ１２を用いて、分割境界で左右ａ画素分のデータ信号に分割し、左右の各データ信号にｂ画素分のオーバーラップデータ信号を付加する。図４（Ｂ）に示すように、左用ラインメモリ１２ａからの出力信号は、ａ画素分の左データ信号の分割境界部に、ｂ画素分のオーバーラップデータ信号が付加され、図４（Ｃ）に示すように、右用ラインメモリ１２ｂからの出力信号は、ａ画素分の右データ信号の分割境界部に、ｂ画素分のオーバーラップデータ信号が付加されている。
【００３７】
図５は、左右の各画像処理部１３，１４で画像処理する際のデータ信号の状態の一例を示す図である。本例では図４に示したラインメモリ１２の出力信号に対して処理を行う場合について説明する。
左右の各画像処理部１３，１４は、ラインメモリ１２の出力信号、すなわち左右分割部１１から入力された左右の各画像処理用データ信号（データ信号及びオーバーラップデータ信号からなる）を演算処理する。すなわち、分割境界付近もオーバーラップ画素を用いて演算処理を行う。その後、左右の各画像処理用データ信号からオーバーラップデータ信号を除去する。左画像処理部１３は、左右分割部１１からの識別信号（ＤＥ−Ｌ）に応じて、オーバーラップデータ信号を判別し、左画像処理用データ信号から該当部分（図中ハッチング部）を除去する。同様に、右画像処理部１４は、左右分割部１１からの識別信号（ＤＥ−Ｒ）に応じて、オーバーラップデータ信号を判別し、右画像処理用データ信号から該当部分（図中ハッチング部）を除去する。
【００３８】
このようにして画像処理された結果、左右の各データ信号の分割境界付近で連続した自然な画像が得られ、目的の画像表示が可能となる。
【００３９】
図６は、本発明の画像処理回路１０を備える液晶表示装置の構成例を示すブロック図である。本例では液晶表示装置として、チューナを内蔵した液晶テレビを代表例として説明する。本例に示す液晶テレビは、ＴＶ信号処理回路３０を備え、このＴＶ信号処理回路３０は、アンテナ３１，チューナ３２，ビデオ信号処理回路３３，スケーラ３４を備え、スケーラ３４からのデータ信号及び同期信号が、画像処理回路１０の左右分割部１１に入力される。以下、画像処理回路１０における処理については、前述の図１乃至図５で説明した通りであり、ここでの説明は省略する。
【００４０】
ここで、他の実施形態として、本発明の画像処理回路１０を、垂直方向（すなわち上下）に複数の液晶パネルを配設して一画面を形成する液晶表示装置に適用してもよく、この場合、画像処理回路１０は、図示しない上下分割部，フレームメモリ（上用フレームメモリ及び下用フレームメモリ），上用画像処理部，下用画像処理部を備えるようにする。本実施形態の画像処理回路１０の基本的な処理は、前述の左右分割の場合と同様である。
【００４１】
すなわち、上下分割部は、入力された画像データをフレームメモリ（上用フレームメモリ及び下用フレームメモリ）を用いて上下に分割する。このとき、時間軸の伸長が行われ、１垂直表示期間内にかかる時間ｔ１は、入力画像データと、上下分割後の分割画像データ（以下、上データ、下データという）とで同じになる。さらに、上下分割部は、液晶表示装置のレジスタ制御部からオーバーラップに関する情報を取得し、このオーバーラップ情報に基づいて上下各データの分割境界部にオーバーラップデータを付加する。
【００４２】
この際、上下分割部は、オーバーラップデータを付加した上下各データのオーバーラップ部分を識別するための信号を生成する。この識別信号は、例えば、本来必要なデータ信号の幅を示す信号に加えて、オーバーラップを含んだ幅が判別できるような信号（以下、ＤＥ信号）である。さらに、上下分割部は、上画像処理用のオーバーラップデータを含む上データ信号，ＤＥ信号，及び同期信号を上用画像処理部に、また、下画像処理用のオーバーラップデータを含む下データ信号，ＤＥ信号，及び同期信号を下用画像処理部にそれぞれ出力する。
【００４３】
次に、上用画像処理部は、上下分割部から入力された上画像処理用データ信号（上データ信号及びオーバーラップデータ信号からなる）を演算処理した後に、上画像処理用データ信号からオーバーラップデータ信号を除去する。ここで、上画像処理部は、上下分割部からの識別信号（ＤＥ）に応じて、オーバーラップデータ信号を判別し、下画像処理用データ信号から該当部分を除去する。
【００４４】
同様に、下用画像処理部は、上下分割部から入力された下画像処理用データ信号（下データ信号及びオーバーラップデータ信号からなる）を演算処理した後に、下画像処理用データ信号からオーバーラップデータ信号を除去する。ここで、下画像処理部は、上下分割部からの識別信号（ＤＥ）に応じて、オーバーラップデータ信号を判別し、下画像処理用データ信号から該当部分を除去する。
【００４５】
尚、本発明の画像処理回路及び該回路を備えた映像表示装置は、上記した各実施の形態に限定されるものではなく、例えば、画面を構成する液晶パネルは２つに限らず、複数個（３つ以上）配設してもよく、この液晶パネルの配設数に応じて、入力画像データの分割数を決定するようにしてもよい。さらに、本発明の要旨を逸脱しない範囲内において種々変更を加え得ることは勿論である。
【図面の簡単な説明】
【００４６】
【図１】本発明の一実施形態である画像処理回路の構成例を示すブロック図である。
【図２】オーバーラップデータを含む左右の各分割画像データの一例を示す図である。
【図３】図１に示した画像処理回路における各信号のタイミングチャートの一例を示す図である。
【図４】図３に示したタイミングチャートに対応したデータ信号の状態の一例を示す図である。
【図５】左右の各画像処理部で画像処理する際のデータ信号の状態の一例を示す図である。
【図６】本発明の画像処理回路を備える液晶表示装置の構成例を示すブロック図である。
【符号の説明】
【００４７】
１０…画像処理回路、１１…左右分割部、１２…ラインメモリ、１２ａ…左用ラインメモリ、１２ｂ…右用ラインメモリ、１３…左用画像処理部、１４…右用画像処理部、１５…レジスタ制御部、１６…タイミングコントローラ（ＴＣ）、１７，１８…ソースドライバ、１９…ゲートドライバ、２０…液晶パネルモジュール、２１…入力画像データ信号、２２…左画像処理用データ信号、２２ａ…左データ信号、２２ｂ，２３ｂ…オーバーラップデータ信号、２３…右画像処理用データ信号、２３ａ…右データ信号、２４，２６…書き込み時の信号、２５，２７…読み出し時の出力信号、３０…ＴＶ信号処理回路、３１…アンテナ、３２…チューナ、３３…ビデオ信号処理回路、３４…スケーラ。
【図１】
2005339144.tif 000003
【図２】
2005339144.tif 000004
【図３】
2005339144.tif 000005
【図４】
2005339144.tif 000006
【図５】
2005339144.tif 000007
【図６】
2005339144.tif 000008